(57)【要約】【課題】オーバーリーチの影響を低減しつつ、セルラー通信を適切に成立させる。【解決手段】通信端末１は、基地局７とセルラー通信するセルラー通信部３と、自端末の現在位置を示す位置情報を取得する位置情報取得部２ｃと、位置情報を送信させる位置情報送信部２ｄと、自端末の近傍に位置する近傍基地局を示す近傍基地局情報を取得する近傍基地局情報取得部２ｅと、３ＧＰＰの規格にしたがって所定周期及び所定アルゴリズムにて基地局の電波の受信レベルを測定し、受信レベルが高い順番のリストを作成する受信レベル測定部２ｆと、何れかの基地局を接続対象として選択して接続を試みる接続制御部２ｇと、を備える。接続制御部は、電波の受信レベルが最も高い基地局を接続対象として選択して接続を試み、その接続に失敗すると、その接続に失敗した基地局を接続候補から除外し、近傍基地局のうち自端末の現在位置から近い順に基地局を接続対象として選択して接続を試みる。【選択図】図１
2020102690.tif 000002
【特許請求の範囲】
【請求項１】
基地局とセルラー通信するセルラー通信部（３）と、
自端末の現在位置を示す位置情報を取得する位置情報取得部（２ｃ）と、
前記位置情報取得部により取得された位置情報を前記セルラー通信部から通信ネットワークに送信させる位置情報送信部（２ｄ）と、
自端末の近傍に位置する近傍基地局を示す近傍基地局情報が前記通信ネットワークから前記セルラー通信部に受信されることで、前記近傍基地局情報を取得する近傍基地局情報取得部（２ｅ）と、
３ＧＰＰの規格にしたがって所定周期及び所定アルゴリズムにて基地局の電波の受信レベルを測定し、受信レベルが高い順番のリストを作成する受信レベル測定部（２ｆ）と、
何れかの基地局を接続対象として選択して接続を試みる接続制御部（２ｇ）と、を備え、
前記接続制御部は、前記受信レベル測定部により測定された電波の受信レベルが最も高い基地局を接続対象として選択して接続を試み、その接続に失敗すると、その接続に失敗した基地局を接続候補から除外し、前記近傍基地局のうち自端末の現在位置から近い順に基地局を接続対象として選択して接続を試みる通信端末。
【請求項２】
前記セルラー通信部と接続中の基地局である自局の電波の受信レベルを自局レベルとして測定する自局受信レベル測定部（２ａ）と、
前記自局受信レベル測定部により測定された自局レベルを第１所定閾値と比較判定する比較判定部（２ｂ）と、を備え、
位置情報送信部は、自局レベルが第１所定閾値よりも低下していると前記比較判定部により判定された場合に、前記位置情報取得部により取得された位置情報を前記セルラー通信部から通信ネットワークに送信させる請求項１に記載した通信端末。
【請求項３】
前記接続制御部は、前記近傍基地局のうち自端末の現在位置から近い順に基地局を接続対象として選択して接続を試み、その接続に失敗すると、その接続に失敗した基地局を接続候補から除外する請求項１又は２に記載した通信端末。
【請求項４】
前記接続制御部は、前記近傍基地局のうち自端末の現在位置から近い順に基地局を接続対象として選択して接続を試みる場合に、電波の受信レベルが第２所定閾値以上の基地局を接続候補とし、その接続候補の何れかの基地局を接続対象として選択して接続を試みる請求項１から３の何れか一項に記載した通信端末。
【請求項５】
前記接続制御部は、前記受信レベル測定部により測定された電波の受信レベルが最も高い基地局を接続対象として選択した場合に、その接続対象として選択した基地局に接続を複数回試みる請求項１から４の何れか一項に記載した通信端末。
【請求項６】
前記接続制御部は、前記近傍基地局のうち自端末の現在位置から近い順に基地局を接続対象として選択した場合に、その接続対象として選択した基地局に接続を複数回試みる請求項１から５の何れか一項に記載した通信端末。
【請求項７】
基地局とセルラー通信するセルラー通信部（３）を備えた通信端末（１）の制御部（２）に、
自端末の現在位置を示す位置情報を取得する位置情報取得手順と、
前記位置情報取得手順により取得した位置情報を前記セルラー通信部から通信ネットワークに送信させる位置情報送信手順と
自端末の近傍に位置する近傍基地局を示す近傍基地局情報が前記通信ネットワークから前記セルラー通信部に受信されることで、前記近傍基地局情報を取得する近傍基地局情報取得手順と、
３ＧＰＰの規格にしたがって所定周期及び所定アルゴリズムにて基地局の電波の受信レベルを測定し、受信レベルが高い順番のリストを作成する受信レベル測定手順と、
前記受信レベル測定手順により測定した電波の受信レベルが最も高い基地局を接続対象として選択して接続を試みる第１接続手順と、
前記第１接続手順による接続に失敗すると、その接続に失敗した基地局を接続候補から除外する接続候補除外手順と、
前記近傍基地局のうち自端末の現在位置から近い順に基地局を接続対象として選択して接続を試みる第２接続手順と、を実行させる接続対象の基地局選択プログラム。
【発明の詳細な説明】
【技術分野】
【０００１】
本発明は、通信端末及び接続対象の基地局選択プログラムに関する。
【背景技術】
【０００２】
現在のセルラー通信の標準仕様（３ＧＰＰ：3rd Generation Partnership Project）では、携帯電話機や車載通信機等の通信端末は、複数の基地局から送信された電波を受信し、その複数の基地局のうち電波の受信レベルが最も高い基地局を接続対象として選択して接続を試みる仕様となっている。この場合、例えば地形や障害物の影響等により、通信端末の現在位置から最も近い基地局が、電波の受信レベルが最も高い基地局とならない場合がある。そのため、３ＧＰＰの仕様通りに通信端末を実装すると、基地局から送信された電波が通信端末に受信される一方で通信端末から送信された電波が基地局に受信されない所謂オーバーリーチが発生し、セルラー通信が成立しない場合がある。そのため、緊急通報サービスの機能を有する通信端末では、例えば衝突事故等の非常事態が発生した場所でオーバーリーチが発生していると、通信圏内であるにも拘らず、緊急通報サービスが受けられない事態になってしまう。
【０００３】
このようなオーバーリーチの対策の１つの手法として、例えば特許文献１には、通信端末の現在位置から所定距離外の基地局を接続候補から除外し、通信端末の現在位置から所定距離内の基地局のみを接続候補とし、その所定距離内の接続候補の基地局のうち電波の受信レベルが最も高い基地局を接続対象として選択して接続を試みる構成が開示されている。
【先行技術文献】
【特許文献】
【０００４】
【特許文献１】特開２０１０−２８８１５３号公報
【発明の概要】
【発明が解決しようとする課題】
【０００５】
特許文献１に開示されている構成では、所定距離をどのように決定するかが課題となる。一方、オーバーリーチの対策の別の手法として、通信端末の近傍に位置する近傍基地局から送信された電波の受信レベルを測定し、電波の受信レベルが最も高い基地局を接続対象として選択して接続を試み、その接続の失敗回数が規定回数に達すると、その接続の失敗回数が規定回数に達した基地局を接続候補から一定時間除外する構成がある。この手法では、次に近傍基地局の受信レベルを測定するときに、接続の失敗回数が規定回数に達した基地局を接続候補から除外しているので、電波の受信レベルが次に（２番目に）高い基地局を接続対象として選択して接続を試みる。
【０００６】
しかしながら、上記した手法では以下に示す２つの問題がある。１つ目の問題としては、オーバーリーチが発生する可能性が高い基地局が複数存在すると、接続候補から除外する基地局の数が増え、セルラー通信が成立するまでに要する時間が長くなる。２つ目の問題としては、通信端末が移動する場合、接続候補から除外した基地局に通信端末が近づいても、その接続候補から一旦除外した基地局が接続候補に復帰するまで当該基地局を接続対象として選択することができず、最適な基地局に接続を試みることができない。
【０００７】
本発明は、上記した事情に鑑みてなされたものであり、その目的は、オーバーリーチの影響を低減しつつ、セルラー通信を適切に成立させることができる通信端末及び接続対象の基地局選択プログラムを提供することにある。
【課題を解決するための手段】
【０００８】
請求項１に記載した発明によれば、セルラー通信部（３）は、基地局とセルラー通信する。位置情報取得部（２ｃ）は、自端末の現在位置を示す位置情報を取得する。位置情報送信部（２ｄ）は、位置情報が位置情報取得部により取得されると、その取得された位置情報をセルラー通信部から通信ネットワークに送信させる。近傍基地局情報取得部（２ｅ）は、自端末の近傍に位置する近傍基地局を示す近傍基地局情報が通信ネットワークからセルラー通信部に受信されることで、近傍基地局情報を取得する。受信レベル測定部（２ｆ）は、３ＧＰＰの規格にしたがって所定周期及び所定アルゴリズムにて基地局の電波の受信レベルを測定し、受信レベルが高い順番のリストを作成する。接続制御部（２ｇ）は、何れかの基地局を接続対象として選択して接続を試みる。
【０００９】
接続制御部は、受信レベル測定部により測定された電波の受信レベルが最も高い基地局を接続対象として選択して接続を試み、その接続に失敗すると、その接続に失敗した基地局を接続候補から除外する。そして、接続制御部は、近傍基地局のうち自端末の現在位置から近い順に基地局を接続対象として選択して接続を試みる。
【００１０】
３ＧＰＰの規格にしたがって測定した電波の受信レベルが最も高い基地局に接続を試み、その接続に失敗すると、その接続に失敗した基地局を接続候補から除外し、近傍基地局のうち自端末の現在位置から近い順に基地局に接続を試みるようにした。オーバーリーチが発生する可能性が高い基地局が複数存在する場合であっても、その複数の基地局のうち最初にオーバーリーチが発生する可能性が高い基地局だけを接続候補から除外し、残りの基地局を接続候補から除外せず、自端末の現在位置から近い順に基地局に接続を試みるので、セルラー通信が成立するまでに要する時間を短くすることができる。又、接続候補から除外する基地局の数を低減するので、通信端末が移動する場合でも、最適な基地局に接続する可能性を高めることができる。これにより、オーバーリーチの影響を低減しつつ、セルラー通信を適切に成立させることができる。
【図面の簡単な説明】
【００１１】
【図１】一実施形態の全体構成を示す機能ブロック図
【図２】車載通信機と基地局との位置関係を示す図
【図３】近傍基地局情報を示す図
【図４】近傍基地局情報の更新処理を示すフローチャート
【図５】通信圏内への復帰判定処理を示すフローチャート
【図６】接続対象の遷移を示す図
【発明を実施するための形態】
【００１２】
以下、本発明を、車両に搭載されている車載通信機に適用した一実施形態について図面を参照して説明する。車載通信機１は、制御部２と、セルラー通信部３と、測位部４と、記憶部５とを有する。制御部２は、ＣＰＵ（Central Processing Unit）、ＲＯＭ（Read Only Memory）、ＲＡＭ（Random Access Memory）等を含むマイコンを有し、非遷移的実体的記憶媒体に格納されている制御プログラムを実行して各種処理を行い、車載通信機１の動作を制御する。制御部２が実行する制御プログラムには、接続対象の基地局選択プログラムが含まれる。
【００１３】
セルラー通信部３は、通信ネットワーク６との間でセルラー通信を行う。通信ネットワーク６は、３ＧＰＰの規格による通信方式にしたがう通信ネットワークであり、広域に亘って点在する多数の基地局７と、それら多数の基地局７を統括する制御局８とを有する。制御局８は、基地局７と車載通信機１との接続状態を監視し、車載通信機１が通信圏内であるか通信圏外であるかを管理する。
【００１４】
測位部４は、ＧＰＳ（Global Positioning System）受信機、地磁気センサ、加速度センサ等を有する。測位部４は、ＧＰＳ信号から抽出したパラメータの演算結果、地磁気センサの検知結果、加速度センサの検知結果等を用いて車載通信機１の現在位置を測位し、その測位結果を制御部２に出力する。尚、本実施形態では、車載通信機１の内部に測位部４が設けられている構成を例示しているが、車載通信機１の外部に測位部４が設けられ、例えば測位結果が車載ＬＡＮ（Local Area Network）を介して車載通信機１に送信される構成でも良い。
【００１５】
制御部２は、自局受信レベル測定部２ａと、比較判定部２ｂと、位置情報取得部２ｃと、位置情報送信部２ｄと、近傍基地局情報取得部２ｅと、受信レベル測定部２ｆと、接続制御部２ｇとを有する。これらの各部２ａ〜２ｇは、マイコンが実行する接続対象の基地局選択プログラムの処理に該当する。
【００１６】
自局受信レベル測定部２ａは、セルラー通信部３と接続中の基地局７である自局の電波の受信レベルを自局レベルとして測定する。比較判定部２ｂは、自局レベルが自局受信レベル測定部２ａにより測定されると、その測定された自局レベルを第１所定閾値と比較判定する。
【００１７】
位置情報取得部２ｃは、測位部４から測位結果が入力されることで、車載通信機１の現在位置を示す位置情報を取得する。位置情報送信部２ｄは、自局レベルが第１所定閾値よりも低下していると比較判定部２ｂにより判定されると、位置情報取得部２ｃより取得された位置情報をセルラー通信部３から通信ネットワーク６に送信させる。通信ネットワーク６において、制御局８は、車載通信機１から送信された位置情報を基地局７を介して受信すると、その受信した位置情報から車載通信機１の現在位置を特定し、車載通信機１の近傍に位置する近傍基地局を特定する。制御局８は、その特定した近傍基地局を示す近傍基地局情報を基地局７を介して車載通信機１に送信する。
【００１８】
近傍基地局情報取得部２ｅは、近傍基地局情報が通信ネットワーク６からセルラー通信部３に受信されることで、通信ネットワーク６から近傍基地局情報を取得し、その取得した近傍基地局情報を記憶部５に記憶させる。通信ネットワーク６から取得される近傍基地局情報は、車載通信機１の現在位置から近い順にソートされている。受信レベル測定部２ｆは、３ＧＰＰの規格にしたがって所定周期及び所定アルゴリズムにて基地局の電波の受信レベルを測定し、受信レベルが高い順番のリストを作成する。接続制御部２ｇは、何れかの基地局を接続対象として選択して接続を試みる。
【００１９】
図２に示すように、車載通信機１の周囲に基地局Ａ〜Ｈが存在する場合であれば、車載通信機１は、位置情報をセルラー通信部３から通信ネットワーク６に送信させることで、図３に示すような近傍基地局情報が通信ネットワーク６から受信され、近傍基地局情報を取得する。図３の例示では、車載通信機１の現在位置から近い順が、基地局Ｃ、基地局Ｆ、基地局Ｄ、基地局Ｂ、基地局Ｈ、基地局Ｅ、基地局Ａ、基地局Ｇであり、電波の受信レベルの高い順が、基地局Ｄ、基地局Ｂ、基地局Ｈ、基地局Ｃ、基地局Ｆ、基地局Ｅ、基地局Ａ、基地局Ｇの場合を例示している。即ち、図３の例示では、基地局Ｄ、基地局Ｂ、基地局Ｈは、電波の送信レベルが高く、基地局Ｃ、基地局Ｆよりも車載通信機１の現在位置から離れているにも拘らず、車載通信機１において、基地局Ｃ、基地局Ｆよりも電波の受信レベルが高い。即ち、基地局Ｄ、基地局Ｂ、基地局Ｈが車載通信機１から送信される電波の到達範囲外であれば、基地局Ｄ、基地局Ｂ、基地局Ｈでオーバーリーチが発生する可能性が高い。
【００２０】
次に、上記した構成の作用について図４から図６を参照して説明する。ここでは、近傍基地局情報の更新処理、通信圏内への復帰判定処理について説明する。
（１）近傍基地局情報の更新処理
制御部２は、車載通信機１が通信圏外であるときには、予め設定されている圏外サーチ間隔に基づく圏外サーチの実施タイミングになると、近傍基地局情報の更新処理を開始する。制御部２は、近傍基地局情報の更新処理を開始すると、３ＧＰＰの規格にしたがって自局レベル及び周辺基地局レベルを測定する（Ｓ１）。制御部２は、その測定した自局レベルを第１所定閾値と比較判定し、自局レベルが第１所定閾値よりも低下しているか否かを判定する（Ｓ２）。
【００２１】
制御部２は、自局レベルが第１所定閾値よりも低下していないと判定すると（Ｓ２：ＮＯ）、近傍基地局情報の更新処理を終了し、次の圏外サーチの実施タイミングを待機する。制御部２は、自局レベルが第１所定閾値よりも低下していると判定すると（Ｓ２：ＹＥＳ）、測位部４から入力された測位結果により車載通信機１の現在位置を示す位置情報を取得する（Ｓ３、位置情報取得手順）。制御部２は、位置情報を取得すると、その取得した位置情報を無線通信部３から通信ネットワーク６に送信させ（Ｓ４、位置情報送信手順）、通信ネットワーク６からの近傍基地局情報の受信を待機する（Ｓ５）。
【００２２】
制御部２は、通信ネットワーク６から送信された近傍基地局情報が無線通信部３により受信されたと判定すると（Ｓ５：ＹＥＳ）、その受信された近傍基地局情報を取得する（Ｓ６、近傍基地局情報取得手順）。制御部２は、その取得した近傍基地局情報を記憶部５に記憶させることで、記憶部５に記憶されている近傍基地局情報を更新し（Ｓ７）、近傍基地局情報の更新処理を終了し、次の圏外サーチの実施タイミングを待機する。
【００２３】
（２）通信圏内への復帰判定処理
制御部２は、車載通信機１が通信圏内から通信圏外に移行したと判定すると、通信圏内への復帰判定処理を開始する。制御部２は、通信圏内への復帰判定処理を開始すると、３ＧＰＰの規格にしたがって所定周期及び所定アルゴリズムにて基地局の電波の受信レベルを測定し、受信レベルが高い順番のリストを作成する（Ｓ１１、受信レベル測定手順）。制御部２は、リストを作成すると、電波の受信レベルが最も高い基地局を接続対象として選択して接続を複数回試みる（Ｓ１２、第１接続手順）。制御部２は、その接続に成功したか否かを判定し（Ｓ１３）、接続に成功したと判定すると（Ｓ１３：ＹＥＳ）、その接続に成功した基地局を自局として通信圏内への復帰処理を行い（Ｓ１４）、通信圏内への復帰判定処理を終了する。
【００２４】
一方、制御部２は、その接続に失敗したと判定すると（Ｓ１３：ＮＯ）、その接続に失敗した基地局を接続候補から除外する（Ｓ１５、接続候補除外手順）。制御部２は、その接続に失敗した基地局を接続候補から除外した近傍基地局情報を参照し、近傍基地局のうち車載通信機１の現在位置から最も近い基地局を接続対象として選択して接続を複数回試みる（Ｓ１６、第２接続手順）。制御部２は、その接続に成功したか否かを判定し（Ｓ１７）、接続に成功したと判定すると（Ｓ１７：ＹＥＳ）、その接続に成功した基地局を自局として通信圏内への復帰処理を行い（Ｓ１４）、通信圏内への復帰判定処理を終了する。
【００２５】
一方、制御部２は、その接続に失敗したと判定すると（Ｓ１７：ＮＯ）、その接続に失敗した基地局を接続候補から除外する（Ｓ１８）。制御部２は、その接続に失敗した基地局を接続候補から除外した近傍基地局情報を参照し、電波の受信レベルが第２所定閾値以上の接続候補が存在するか否かを判定する（Ｓ１９）。制御部２は、電波の受信レベルが第２所定閾値以上の接続候補が存在すると判定すると（Ｓ１９：ＹＥＳ）、ステップＳ１６に戻り、ステップＳ１６以降を繰り返す。制御部２は、電波の受信レベルが第２所定閾値以上の接続候補が存在しないと判定すると（Ｓ１９：ＮＯ）、通信圏内への復帰処理を行うことなく、通信圏内への復帰判定処理を終了する。
【００２６】
制御部２は、図３に示すような近傍基地局情報であれば、図６に示すように、最初に車載通信機１の現在位置から最も近くはないが受信レベルが最も高い基地局Ｄに接続を試みる。制御部２は、基地局Ｄへの接続に成功すると、基地局Ｄを自局として通信圏内に復帰するが、基地局Ｄへの接続に失敗すると、その接続に失敗した基地局Ｄを接続候補から除外し、接続候補のうち車載通信機１の現在位置から最も近い基地局Ｃに接続を試みる。制御部２は、基地局Ｃへの接続に成功すると、基地局Ｃを自局として通信圏内に復帰するが、基地局Ｃへの接続に失敗すると、その接続に失敗した基地局Ｃを接続候補から除外し、接続候補のうち車載通信機１の現在位置から次に近い基地局Ｆに接続を試みる。制御部２は、基地局Ｆへの接続に成功すると、基地局Ｆを自局として通信圏内に復帰するが、基地局Ｆへの接続に失敗すると、その接続に失敗した基地局Ｆを接続候補から除外し、接続候補のうち車載通信機１の現在位置から次に近い基地局Ｂに接続を試みる。制御部２は、同様の処理を繰り返す。
【００２７】
以上に説明したように本実施形態によれば、以下に示す作用効果を得ることができる。車載通信機１において、３ＧＰＰの規格にしたがって電波の受信レベルが最も高い基地局７に接続を試み、その接続に失敗すると、その接続に失敗した基地局７を接続候補から除外し、近傍基地局のうち自端末の現在位置から近い順に基地局７に接続を試みるようにした。オーバーリーチが発生する可能性が高い基地局７が複数存在する場合であっても、その複数の基地局７のうち最初にオーバーリーチが発生する可能性が高い基地局７だけを接続候補から除外し、残りの基地局７を接続候補から除外せず、自端末の現在位置から近い順に基地局７に接続を試みるので、セルラー通信が成立するまでに要する時間を短くすることができる。又、接続候補から除外する基地局７の数を低減するので、自端末が移動する場合でも、最適な基地局７に接続する可能性を高めることができる。これにより、オーバーリーチの影響を低減しつつ、セルラー通信を適切に成立させることができる。
【００２８】
車載通信機１において、自局レベルが第１所定閾値よりも低下している場合に、位置情報をセルラー通信部３から通信ネットワーク６に送信するようにした。位置情報を定期的に通信ネットワーク６に送信すると通信ネットワーク６の負荷を無用に高めたり、位置情報の送信が課金される仕組みでは通信料金を無用に高めたり、電力消費を無用に高めたりすることになるが、自局レベルが第１所定閾値よりも低下している条件を付加することで、それらの不具合の発生を未然に回避することができる。
【００２９】
車載通信機１において、近傍基地局のうち自端末の現在位置から近い順に基地局７を接続対象として選択して接続を試み、その接続に失敗すると、その接続に失敗した基地局７を接続候補から除外するようにした。接続に失敗した基地局７を接続候補から除外することで、接続に成功する可能性が低い基地局７に接続を再度試みてしまう事態を未然に回避することができる。
【００３０】
車載通信機１において、自端末の現在位置から近い順に基地局７を接続対象として選択して接続を試みる場合に、電波の受信レベルが第２所定閾値以上の基地局７を接続候補とし、その接続候補の何れかの基地局７を接続対象として選択して接続を試みるようにした。電波の受信レベルが第２所定閾値未満の基地局７を接続候補から除外することで、接続に成功する可能性が低い基地局７に接続を試みてしまう事態を未然に回避することができる。
【００３１】
車載通信機１において、３ＧＰＰの規格にしたがって電波の受信レベルが最も高い基地局７を接続対象として選択した場合に、その接続対象として選択した基地局７に接続を複数回試みるようにした。接続を複数回試みることで、偶発的な接続の失敗を排除することができ、基地局７への接続に成功する可能性を高めることができる。
【００３２】
車載通信機１において、近傍基地局のうち自端末の現在位置から近い順に基地局７を接続対象として選択した場合でも、その接続対象として選択した基地局７に接続を複数回試みるようにした。この場合も、接続を複数回試みることで、偶発的な接続の失敗を排除することができ、基地局７への接続に成功する可能性を高めることができる。
【００３３】
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
通信端末として車載通信機に適用する構成を例示したが、スマートフォンやタブレット等の携帯端末に適用しても良い。
【００３４】
本開示に記載の制御部及びその手法は、コンピュータプログラムにより具体化された一つ乃至は複数の機能を実行するようにプログラムされたプロセッサ及びメモリを構成することにより提供された専用コンピュータにより実現されても良い。或いは、本開示に記載の制御部及びその手法は、一つ以上の専用ハードウエア論理回路によりプロセッサを構成することにより提供された専用コンピュータにより実現されても良い。若しくは、本開示に記載の制御部及びその手法は、一つ乃至は複数の機能を実行するようにプログラムされたプロセッサ及びメモリと一つ以上のハードウエア論理回路により構成されたプロセッサとの組み合わせにより構成された一つ以上の専用コンピュータにより実現されても良い。又、コンピュータプログラムは、コンピュータにより実行されるインストラクションとして、コンピュータ読み取り可能な非遷移有形記録媒体に記憶されていても良い。
【符号の説明】
【００３５】
図面中、１は車載通信機（通信端末）、２は制御部、２ａは自局受信レベル測定部、２ｂは比較判定部、２ｃは位置情報取得部、２ｄは位置情報送信部、２ｅは近傍基地局情報取得部、２ｆは受信レベル測定部、２ｇは接続制御部である。
【図１】
2020102690.tif 000003
【図２】
2020102690.tif 000004
【図３】
2020102690.tif 000005
【図４】
2020102690.tif 000006
【図５】
2020102690.tif 000007
【図６】
2020102690.tif 000008